(57)【要約】【課題】  ユーザーが特別な作業をすることなく、ＰＣカード自身の放熱効果を得ることができるＰＣカードを提供すること。【解決手段】  放熱用窓を有する外部筐体１と内部シャッター５を備える。内部シャッター５は、凹部７，１５と、ガイドレール１１と、下端面に形成されたばね１４を有し、外部筐体１は、内部シャッター５のスライドに応じて移動自在な突起部６，１２を有する。突起部６には内部シャッター５の脱着方向へのスライドにより、凹部７へ係合するように可動する針金トリガー８が取り付けられている。外部筐体１の移動によりガイドレール１１に沿って回転するローラ１０を有し、外部筐体１が挿入完了した時点で、放熱用窓２と開口部３とが重なり合い、同時に突起部１２が凹部１５へ係合して内部シャッター５が固定される。【選択図】    図２
2007072821.tif 000002
【特許請求の範囲】
【請求項１】
主面に放熱用窓が形成された扁平形状の外部筐体と、
前記外部筐体に対してスライド可能に装着され、当該スライド運動によって前記放熱用窓を開閉させるための内部シャッターを備え、
前記内部シャッターは、
両側面に間隔をおいて形成された第１及び第２の凹部と、
両側面に長手方向に沿って形成されたレール部と、
弾性的に付勢するように下端面に形成された弾性部材を有し、
前記外部筐体は、
前記外部筐体の内側両側面に間隔をおいて形成され、前記内部シャッターのスライドに応じて移動自在な第１及び第２の係合部と、
前記内部シャッターの脱着方向へのスライドにより、前記第１の凹部へ係合するように可動し、前記第１の係合部に一部が接触している弾性トリガーと、
前記外部筐体の移動により、前記レール部に沿って回転するローラ部を有し、
前記ローラ部の回転に応じた前記レール部の移動に伴い前記放熱用窓が開き、前記外部筐体が挿入完了した時点で前記第２の係合部が前記第２の凹部へ係合して前記内部シャッターが固定されることを特徴とするＰＣカード。
【請求項２】
前記第１の係合部は、突起部であり、前記内部シャッターの装着方向へのスライドにより前記内部シャッターの内側に移動し、前記弾性トリガーが前記内部シャッターの外側方向へ移動し、前記弾性トリガーが前記第１の凹部からはずれ前記内部シャッターの固定が解除されることを特徴とする請求項１記載のＰＣカード。
【請求項３】
前記ローラの外周にはゴムが巻回されていることを特徴とする請求項２記載のＰＣカード。
【請求項４】
前記ローラの回転と同時に回転する歯車を有し、前記レール部は前記歯車と噛み合うような歯車レールであることを特徴とする請求項２記載のＰＣカード。
【請求項５】
前記内部シャッターは前記放熱用窓と同一形状の開口部を有し、前記外部筐体が挿入完了した時点で前記放熱用窓と前記開口部とが重なり合うことを特徴とする請求項３又は４記載のＰＣカード。
【請求項６】
前記開口部にはメッシュ状の網が取り付けられていることを特徴とする請求項５記載のＰＣカード。
【発明の詳細な説明】
【技術分野】
【０００１】
本発明は、パーソナルコンピュータのコネクタのように限られた空間に装着するＰＣカードであって、特にＰＣカード内部の温度上昇を防止する冷却構造を有するＰＣカードに関する。
【背景技術】
【０００２】
ＰＣカード型モジュールとして、データ通信カード、ストレージメモリなどが存在する。データ通信カードは、年々、通信速度の向上、通信方式の高度化などにより、部品点数の増加（高密度化）、消費電流などが大きくなり、そのことに起因して、ＰＣカード内部の温度も上昇している。ノートパソコンに挿入して使用する通信端末をはじめとするＰＣカード型モジュールは、自身に実装された部品からの発熱や動作中のノートパソコン内部の発熱により、機能特性の劣化を伴う。
【０００３】
この問題を解決するため、例えば、以下の特許文献１に開示された放熱機能をもつＰＣカードは、ＰＣカードの熱を筺体の外部へ効率よく放出すべく、ＰＣカードに設けた熱膨張係数の小さい金属からなる高熱伝導性部材で形成した熱拡散を兼ねる受熱部と、該受熱部と着脱自在に構成されたヒートパイプを内蔵するあるいはヒートパイプ機能を形成した前記受熱部より熱膨張係数の大きい金属からなる伝熱部と、該伝熱部と着脱自在に構成されたＰＣカードを装着する筺体の外部に配置される放熱部とを備える。
【０００４】
【特許文献１】特開平１１−６５７１４号公報
【発明の開示】
【発明が解決しようとする課題】
【０００５】
しかしながら、上記した放熱機能をもつＰＣカードはヒートパイプや放熱ファンを内蔵しておりその構成は複雑であり、経済的にも高価なものとなってしまう。また、使用時だけでなく常時上記の冷却システムが作動し、随時冷却部分が開いていることによる内部基板への悪影響（水滴、異物混入など）を与えてしまう。冷却ファンを有しているＰＣカードは動作を止めるときには使用者自身が動作を止めるための特別な作業をしなければならない。
【０００６】
したがって、本発明の目的は、パーソナルコンピュータに取り付ける際、ユーザーが特別な作業をすることなく、ＰＣカード内部を外気に触れさせることにより、ＰＣカード自身の放熱効果を得ることができ、使用時にのみ上記の冷却システムが作動し、随時冷却部分が開いていることによる内部基板への悪影響（水滴、異物混入など）を防ぐことができるＰＣカードを提供することにある。
【課題を解決するための手段】
【０００７】
上記課題を解決するために、本件発明は、以下の特徴を有する課題を解決するための手段を採用している。
【０００８】
本発明に係るＰＣカードは、
主面に放熱用窓が形成された扁平形状の外部筐体と、
前記外部筐体に対してスライド可能に装着され、当該スライド運動によって前記放熱用窓を開閉させるための内部シャッターを備え、
前記内部シャッターは、両側面に間隔をおいて形成された第１及び第２の凹部と、両側面に長手方向に沿って形成されたレール部と、弾性的に付勢するように下端面に形成された弾性部材を有し、
前記外部筐体は、前記外部筐体の内側両側面に間隔をおいて形成され、前記内部シャッターのスライドに応じて移動自在な第１及び第２の係合部と、前記内部シャッターの脱着方向へのスライドにより、前記第１の凹部へ係合するように可動し、前記第１の係合部に一部が接触している弾性トリガーと、前記外部筐体の移動により、前記レール部に沿って回転するローラ部を有し、
前記ローラ部の回転に応じた前記レール部の移動に伴い前記放熱用窓が開き、前記外部筐体が挿入完了した時点で前記第２の係合部が前記第２の凹部へ係合して前記内部シャッターが固定されることを特徴とする。
【発明の効果】
【０００９】
以上説明したように、本発明によれば、ＰＣカードをパーソナルコンピュータに取り付ける際、ユーザーが特別な作業をすることなく、自身の筐体の一部が可動し、その結果、ＰＣカード内部を外気に触れさせることにより、ＰＣカード自身の放熱効果を得ることができる。また、使用時にのみ上記の冷却システムが作動するため、随時冷却部分が開いていることによる内部基板への悪影響（水滴、異物混入など）を防ぐことができる。
【発明を実施するための最良の形態】
【００１０】
図面を参照して本発明の実施の形態について説明する。本発明に係るＰＣカードは、主面に放熱用窓２が形成された扁平形状の外部筐体１と、外部筐体１に対してスライド可能に装着され、当該スライド運動によって放熱用窓２を開閉させるための内部シャッター５を備える。
【００１１】
内部シャッター５の両側面には間隔をおいて凹部７，１５が、長手方向に沿ってガイドレール１１が形成され、ガイドレール１１の一部には歯車レールが形成されている。内部シャッター５の上部には放熱用窓２と同一形状の開口部３が形成されている。内部シャッター５の下端面には内部シャッター５の移動方向に一定長さだけ内部シャッター５を弾性的に付勢するばね１４が取り付けられている。
【００１２】
外部筐体１は、外部筐体１の内側両側面に間隔をおいて内部シャッター５のスライドに応じて内部シャッター５の移動方向と直行する方向に移動自在な第１の係合部としての突起部６及び第２の係合部としての突起部１２を備えている。
【００１３】
突起部６の内部シャッター移動方向前後には同様の突起部が設けられている。
【００１４】
突起部６及び前記他の突起部には、内部シャッター５の脱着方向へのスライドにより、凹部７へ係合する針金トリガー８が図３に示すような状態で取り付けられている。
【００１５】
外部筐体１の長手方向へのスライドにより、ガイドレール１１に沿って回転するローラ１０とローラの回転に連動して回転する歯車９が設けられている。
【００１６】
以下、本発明のＰＣカードの冷却システムについて述べる。図２は、本発明に係るＰＣカードとしての構成の要部を表したものである。ＰＣ（パーソナルコンピュータ）に装着前の外観は図１（１）に示し、内部の状態は図２（１）に示す。
【００１７】
本実施例のＰＣカードは、ＰＣへの挿入時にＰＣカード内部に押し込まれた際、ＰＣカードの両側面に取り付けられた第１の係合部としての突起部６が筐体の内側に移動し、針金トリガー８が内部筐体（以下、内部シャッターと呼ぶ）５の外側方向へ移動する。この動きで針金トリガー８が凹部７からはずれる。引き続きＰＣカードが装着（挿入）方向に押し込まれると、外部筐体１が移動し、ＰＣカードの両側面にあるローラー１０がＰＣ内のＰＣカードアダプタのガイドラインと内部構造のガイドレール１１に沿って回転し、これによって歯車９もガイドレール１１の一部に形成されている歯車レールに沿って回転する。この結果、ローラ１０の回転に応じた長さをガイドレール１１が移動し、もって内部シャッター５も移動し、放熱用窓２を覆っていたシャッターがなくなり、放熱用窓２が開く。内部シャッター５が装着方向に移動するとばね１４も縮む。尚、ローラー１０の外周にゴムを巻きつけた場合には、これによるグリップ力で確実に回転させることができる。
【００１８】
ＰＣカードがＰＣ内に完全に押し込まれたときに、第２の係合部としての突起部１２が内部シャッター５側に押し込まれ、この動作で突起部１２の先端に有している針金トリガー１３が内部シャッター５に形成されている凹部１５に係合することにより内部シャッター５は図２（２）に示されるように固定される。このときの外観は図１（２）に示すとおりである。尚、この針金トリガー１３は突起部１２の先端部に取り付けられているが、突起部１２の先端部を凹部１５に係合できる形状ならば針金でなくとも例えば突起部１２の先端をかぎ状にして成形したものでもよい。
【００１９】
内部シャッター５が図２（２）に示されるように固定された場合、すなわち外部筐体１が挿入完了した時点で、放熱用窓２と開口部３とが重なり合って放熱用窓２が開くため放熱効果が得られる。放熱用窓２と開口部３とが重なり合うと同時に針金トリガー１３が凹部１５へ係合して前記内部シャッターが固定される。尚、ＰＣカード内部が覗かれた部分から異物が混入しないよう、開口部３にメッシュ状の網を取り付けてもよい。
【００２０】
逆に、ＰＣカードをパーソナルコンピュータから取り外す場合、挿入時に押しこまれていた突起部分１２が内部シャッター５の外側に移動し、この動きで針金トリガー１３が凹部１５からはずれる。このとき、縮んでいたばね１４が伸び、ＰＣカードの両側面にあるローラー１０がＰＣ内のＰＣカードアダプタのガイドラインとガイドレール１１に沿って回転し、これによって歯車９も回転する。この結果、内部シャッター５を挿入方向とは逆に可動させる。ばね１４の反力は、ＰＣからＰＣカードを円滑に取り外す助力となる。
【００２１】
その後、挿入時に押し込まれていた突起部６が外部筐体１の外側に移動し、針金トリガー８は逆に外部筐体１の内側方向に可動し、凹部７にひっかかる。これらの動作で内部シャッター５を再び図２（１）の状態に戻し、その状態を固定させる。このときの外観は図１（１）の状態となる。すなわち、内部シャッター５が図２（１）に示されるように固定された場合、すなわち外部筐体１がＰＣ本体のコネクタ部から脱着した時点で、内部シャッター５の移動により放熱用窓２と開口部３以外の領域１７とが重なり合い、完全に放熱用窓は遮断される。放熱用窓２が遮断されると同時に針金トリガー１３の凹部１５からの係合が解除された状態で前記内部シャッターが固定される。
【００２２】
上記一連の動作で、ＰＣカード使用者は、ＰＣカード型モジュールをノードパソコンに挿入することによって、自身の筐体の一部である内部シャッターを可動させ、ＰＣカード内部を外気に触れされることで、ＰＣカード内の熱を放熱させることができる。すなわち何ら特別な処理を行うことなく、ＰＣカードを挿入するだけで放熱効果を得ることが可能となる。
【００２３】
また、上記した各実施の形態は、本発明を好適に実施した形態の一例に過ぎず、本発明は、その主旨を逸脱しない限り、種々変形して実施することが可能なものである。
【図面の簡単な説明】
【００２４】
【図１】（１）は本発明に係るＰＣカードの挿入前における外観斜視図であり、（２）はＰＣカードの挿入後における外観斜視図である。
【図２】（１）は本発明に係るＰＣカードの挿入前における内部構造を示した図であり、（２）はＰＣカードの挿入後における内部構造を示した図である。
【図３】内部シャッターの可動原理を説明するための図である。
【符号の説明】
【００２５】
１    外部筐体
２    放熱用窓
３    開口部
５    内部シャッター
６    突起部
７，１５    凹部
８    針金トリガー
９    歯車
１０    ローラ
１１    ガイドレール
１２    突起部
１３    針金トリガー
１４    ばね
【図１】
2007072821.tif 000003
【図２】
2007072821.tif 000004
【図３】
2007072821.tif 000005